(57)【要約】【課題】４チャンネル出力ＣＣＤの複数チャンネルによるリニアリティ偏差及び濃度偏差をＣＣＤ出力段階で補正する。【解決手段】  直線状に配列された複数の光電変換素子の光電変換信号は、光電変換素子配列を中央部で区切った一方の側の奇数番目素子及び偶数番目素子毎にそれぞれシフトレジスタと出力バッファにより出力ＯＳ１，ＯＳ２として、他方の側の奇数番目素子及び偶数番目素子毎にそれぞれシフトレジスタと出力バッファにより出力ＯＳ３，ＯＳ４として取出す。この取出しは、各シフトレジスタのアウトプットゲートに供給されるアウトプットゲート信号φ２Ｂによって行われ、該信号の立下り傾斜を変えることにより、出力ＯＳを変化させることができる。このためにタイミング発生回路２１で生成したアウトプットゲート信号φ２Ｂの立下り傾斜を可変抵抗形のフィルタ回路２３，２５で変化させ出力ＯＳを別々に変化させ出力させる。【選択図】        図６
2005236853.tif 000002
【特許請求の範囲】
【請求項１】
直線状に配列された複数の光電変換素子の光電変換信号を、前記光電変換素子配列を中央部で区切った一方の側の奇数番目素子及び偶数番目素子毎に出力する第１の出力手段と、他方の側の奇数番目素子及び偶数番目素子毎に出力する第２の出力手段を備えた画像読取装置において、
前記光電変換素子間を移動する光電変換信号の移動開始時間を制御する手段を、前記第１の出力手段及び第２の出力手段の両方又はいずれか一方に備えたことを特徴とする画像読取装置。
【請求項２】
請求項１記載の画像読取装置において、
異なる移動開始時間で標準濃度の原稿を読取り、前記一方の側及び他方の側の光電変換素子の読取出力値を取得する手段と、
取得した読取出力値に基いて移動開始時間を設定する手段と、
を備えたことを特徴とする画像読取装置。
【請求項３】
請求項２記載の画像読取装置において、
前記取得した読取出力値に基いて移動開始時間を設定する手段は、前記一方の側及び他方の側の光電変換素子の読取出力値が共通する移動開始時間を設定することを特徴とする画像読取装置。
【請求項４】
請求項１乃至３のいずれかに記載の画像読取装置を備えたことを特徴とする画像処理装置。
【発明の詳細な説明】
【技術分野】
【０００１】
本発明は、ＣＣＤ等のリニアイメージセンサにより光電変換した画像信号をリニアイメージセンサの画素配列の中央部左側及び右側画素配列毎に出力し、出力した画像信号をマルチプレクスする画像読取装置及びこの画像読取装置を有するスキャナ装置、電子写真複写機、ファクシミリ装置等の画像処理装置に関する。
【背景技術】
【０００２】
デジタル複写機等で使用されるスキャナ装置は、ＣＣＤ等のリニアイメージセンサにより原稿画像を光電変換し画像読取りを行っている。ＣＣＤは高解像度及び高速読取りが可能なため広く使用されているが、デジタル複写機の普及につれて更なる高速化が求められている。この高速化に対処するために、ＣＣＤの画像電荷をＣＣＤ画素配列の中央部左側の偶数画素及び奇数画素毎、及び右側の偶数画素及び奇数画素毎の４チャンネルで処理するシステムが開発されている。
【０００３】
図１５は、従来の４チャンネル出力ＣＣＤにおける画像データの処理システムの構成を示す図である。図１５において、１２０は４チャンネル出力ＣＣＤシステム、１３０は前処理システム、１４０はスキャナ制御システムである。
４チャンネル出力ＣＣＤシステム１２０は、図示を省略しているが順番に配列された複数の受光素子（フォトダイオード）からなるＣＣＤ、シフトレジスタ、出力バッファで構成される。４チャンネル出力ＣＣＤの場合は、信号出力が偶数成分と奇数成分を更に受光素子の配列の中央部で左右に分割し、４系統の出力とするために、シフトレジスタは４つ存在する。従って、第１のシフトレジスタにより奇数成分の左端の受光素子による信号より順番に転送出力され、第２のシフトレジスタによって偶数成分の左端の受光素子による信号より順番に転送出力され、第３のシフトレジスタによって奇数成分の右端の受光素子による信号より順番に転送出力され、第４のシフトレジスタによって偶数成分の右端の受光素子による信号より順番に転送出力されることになる。
【０００４】
４チャンネル出力ＣＣＤシステム１２０から出力されたアナログ信号は、前処理システム１３０のアンプ１３１，１３２において画素信号毎にサンプリングされ信号増幅される。アンプ１３１，１３２は、１チップで２チャンネル分の処理がパラレルに可能なアンプである。アンプ１３１には、４チャンネル出力ＣＣＤシステム１２０の画素信号の奇数成分の左右２チャンネル（出力端子０Ｓ１、ＯＳ３）を入力し、アンプ１３２には、４チャンネル出力ＣＣＤシステム１２０の画素信号の偶数成分の左右２チャンネル（出力端子ＯＳ２、ＯＳ４）を入力する。
【０００５】
それぞれのアンプ１３１，１３２内部においては、４チャンネル出力ＣＣＤシステム１２０の左右からの２チャンネルの画素信号が並列で処理（サンプリング及び信号増幅）され、その後１チャンネルに合成（マルチプレクス）される。即ち、アンプ１３１においては奇数成分の左右の信号を合成して１チャンネルに、アンプ１３２においては偶数成分の左右の信号を合成して１チャンネルにし、それぞれアンプ１３１，１３２より出力するようになっている。
【０００６】
これらのアンプ１３１，１３２により、信号処理上適当なレベルに増幅された画素毎のアナログ信号は、ＡＤコンバータ１３３，１３４によりＡＤ変換されデジタル信号になる。ここで使用するＡＤコンバータ１３３，１３４の分解能は、８ビット（２５６ステップ）なので、画素データとしては１画素あたり８ビットデータとなる。
【０００７】
なお、４チャンネル出力ＣＣＤシステムのレジスタ、出力バッファ、及びアンプ１３１，１３２を駆動するために必要な制御信号（サンプルホールドパルス、合成信号、クランプ信号）、並びにＡＤコンバータ１３３，１３４においてＡＤ変換処理に必要なＡＤ変換用クロックは、後段のスキャナ制御システム１４０から供給される。
【０００８】
スキャナ制御システム１４０は、詳細図を省略しているがバス幅変換回路、シェーディング補正回路、バスセレクト回路、左右補正回路、ビット反転回路及びラスタ変換回路を有する。即ち、バス幅変換回路により奇数成分、偶数成分それぞれにおいて左のデータと右のデータに分けられる。従って、例えば前処理システム１３０から画像データのデータレートが２チャンネル（奇数チャンネル及び偶数チャンネル）で１チャンネル当り４０ＭＨｚとして入力された場合、バス幅変換処理後の出力として画像データは４チャンネルで１チャンネル２０ＭＨｚとして４チャンネルに変換された状態で次段のシェーディング補正回路に入力されることになる。
【０００９】
シェーディング補正回路ではシェーディング補正が行われる。シェーディング補正が行われた画像データは、左右補正回路に入力される。
【００１０】
光画像信号として４チャンネル出力ＣＣＤシステムに入力される画像情報は、複数の受光素子毎に光電変換されるが、このとき原稿の反射率が同一濃度の光画像信号を各受光素子が受光し光電変換し、同一レベルの電荷信号を出力したとしても信号の処理系統が４つに分かれ異なってしまうために回路特性的な偏差、より具体的には信号伝達経路間に生じるリニアリティ偏差が生じ、画素信号間（画像データ）に歪みが生じることになる。この歪みを補正するために左右補正回路を設け、メモリを使用したデータ変換テーブルを用いて左右補正を行っている。
【００１１】
前記リニアリティ偏差の他に、画像濃度に対する画像データの各画素毎に生じる照度むら、感度のばらつき受光素子及びシフトレジスタで発生する暗電流等による濃度勾配偏差（濃度偏差）がある。この濃度偏差は、前記シェーディング補正回路で補正可能であるが、中間階調領域では補正困難であり、従来提案されている解決手法では、グレースケールチャートを主走査又は副走査方向の読取位置に設け、その各ステップの読取データを基にガンマ補正テーブルを参照し補正する手法が用いられている。
【００１２】
このような補正が行われた画像データは、そのあとビット反転回路によってビット反転され、ラスタ変換回路によって画像データの並び順の整列化処理が行われる。
【００１３】
そして次段の画像処理システム（不図示）により、フィルタリング処理、レンジ補正、倍率変換、ガンマ補正、階調処理等が行われることになる（特許文献１参照）。
【００１４】
【特許文献１】特開２０００−１８８６８６号公報
【発明の開示】
【発明が解決しようとする課題】
【００１５】
上述のように従来の４チャンネル出力ＣＣＤの画像データ処理システムにおいては、チャンネルのリニアリティ偏差の補正である左右補正を、ＣＣＤ出力（画像データ）をアンプ１３１，１３２で増幅し、ＡＤコンバータ１３３，１３４でＡＤ変換した後の画像データに対して行っている。つまり、前記画像データをメモリのアドレスに入力し、補正後の画像データはメモリのデータ出力より、予めメモリのそれぞれのアドレスに対してセットされたデータが代わりに出力されることで左右補正を行っている。従って、専用メモリの搭載やその処理のための周辺回路が必要になるなど、画像データ処理が複雑になっている。濃度偏差の補正も、ＡＤ変換した後の画像データに対して行われことになるが、回路構成の複雑化は避けられない。
【００１６】
そこで本発明は、このような状況に鑑みなされたものであり、その目的は、４チャンネル出力ＣＣＤシステムにおいて、ＣＣＤからの光電変換信号の出力時点で複数チャンネルによるリニアリティ偏差を補正しかつ濃度偏差を補正することである。
【課題を解決するための手段】
【００１７】
請求項１の発明は、直線状に配列された複数の光電変換素子の光電変換信号を、前記光電変換素子配列を中央部で区切った一方の側の奇数番目素子及び偶数番目素子毎に出力する第１の出力手段と、他方の側の奇数番目素子及び偶数番目素子毎に出力する第２の出力手段を備えた画像読取装置において、前記光電変換素子間を移動する光電変換信号の移動開始時間を制御する手段を、前記第１の出力手段及び第２の出力手段の両方又はいずれか一方に備えたことを特徴とする画像読取装置である。
請求項２の発明は、請求項１記載の画像読取装置において、異なる移動開始時間で標準濃度の原稿を読取り、前記一方の側及び他方の側の光電変換素子の読取出力値を取得する手段と、取得した読取出力値に基いて移動開始時間を設定する手段とを備えたことを特徴とする画像読取装置である。
請求項３の発明は、請求項２記載の画像読取装置において、前記取得した読取出力値に基いて移動開始時間を設定する手段は、前記一方の側及び他方の側の光電変換素子の読取出力値が共通する移動開始時間を設定することを特徴とする画像読取装置である。
請求項４の発明は、請求項１乃至３のいずれかに記載の画像読取装置を備えたことを特徴とする画像処理装置である。
【発明の効果】
【００１８】
本発明によれば、４チャンネル出力ＣＣＤシステムにおいて、ＣＣＤからの光電変換信号の出力時点で複数チャンネルによるリニアリティ偏差を補正しかつ濃度偏差を補正することができる。このため後段においてメモリを有するリニアリティ偏差や濃度偏差の補正回路を設ける必要がなくなり画像読取装置の回路構成が簡略化する。
【発明を実施するための最良の形態】
【００１９】
はじめに、本発明の実施形態に係る４チャンネル出力ＣＣＤシステムを有する画像読取装置におけるリニアリティ偏差の補正について説明する。
図１は、本発明が実施される４チャンネル出力ＣＣＤ装置の構成図である。この４チャンネル出力ＣＣＤ装置は、図示を省略しているがデジタル複写機等のスキャナ部において原稿からの反射光を光電変換するものである。
図１において、５は直線状に順番に配列された複数の光電変換素子（フォトダイオード）、１は光電変換素子５を中央部で区切った左側の奇数番目の素子の信号出力を転送移動させるアナログシフトレジスタ、２は光電変換素子５の中央部左側の偶数番目の素子の信号出力を転送移動させるアナログシフトレジスタ、３は光電変換素子５の中央部右側の奇数番目の素子の信号出力を転送移動させるアナログシフトレジスタ、４は光電変換素子５の中央部右側の偶数番目の素子の信号出力を転送移動させるアナログシフトレジスタ、６は左側シフトレジスタ１，２のアウトプットゲート端子、７は右側シフトレジスタ３，４のアウトプットゲート端子、８はアナログシフトレジスタ１の出力バッファ、９はアナログシフトレジスタ２の出力バッファ、１０はアナログシフトレジスタ３の出力バッファ、１１はアナログシフトレジスタ４の出力バッファである。また出力バッファ８は光電変換素子５の左側奇数成分の出力端子ＯＳ１、出力バッファ９は光電変換素子５の左側偶数成分の出力端子ＯＳ２、出力バッファ１０は光電変換素子５の右側奇数成分の出力端子ＯＳ３、出力バッファ１１は光電変換素子５の右側偶数成分の出力端子ＯＳ４を有する。なお、ＲＳはリセットパルス入力端子、ＣＰはクランプパルスの入力端子である。これらはＣＣＤ装置として１つの基板上に形成される。
【００２０】
ＣＣＤの駆動は、後述する専用のタイミング発生回路により信号が生成され、その信号は２つのドライバで左右のアウトプットゲート端子６，７に供給されるようになっている。そしてこのタイミング信号によりＣＣＤから光電出力信号が取出される。
【００２１】
図２は、ＣＣＤで生成される電荷信号の移動の形態を示す図である。図２を参照して
シフトの形態を説明すると、Ｔ１１の状態は前の移動（シフト）動作の結果、電荷信号の移動が安定している状態であり、Ｔ１２の状態はＴ１１の状態から隣のレジスタに電荷信号を移動開始している状態であり、Ｔ１３の状態は移動を終了した状態を示す。このシフトはアナログシフトレジスタのレジスタにクロックφ１、φ２が交互にハイ（Ｈ）とロー（Ｌ）を繰返すことにより順次行われるものであり、最後にアウトプットゲート６，７にアウトプットゲート信号φ２Ｂが供給されることにより、出力バッファを介して電荷信号を出力信号（電圧）ＯＳに変換しＣＣＤ外部に出力している。
【００２２】
図３は、アウトプットゲート信号と出力信号の関係を示す図である。
図３において、アウトプットゲート６，７にアウトプット信号φ２Ｂが供給されると、該信号φ２Ｂの立下りによりシフトレジスタの電荷信号は出力バッファから電圧信号として現れてくる。ここで、アウトプットゲート信号φ２Ｂの立下りまでの１０％のタイミングからＣＣＤ出力電圧信号ＯＳが安定する手前１０％のタイミングまでの時間を出力遅延時間という。このようにアウトプットゲート信号と出力電圧信号が出力遅延時間を有しているとき、図４の出力電圧信号と出力タイミングの関係図に示すように、一般的には、電圧信号Ｄが安定する時間帯（領域）ｄ１でサンプリング信号ＳＨＤによりサンプリングし電圧信号として出力している（図４（Ａ））。高速読取りを行うためにサンプリング信号ＳＨＤを早くすると安定領域ｄ１で出力することができなくなる（図４（Ｂ））。この関係を更に図５により説明する。
【００２３】
図５は、アウトプットゲート信号と出力電圧信号の出力タイミングの関係を示す図である。図５において、アウトプットゲート信号φ２Ｂの立下り傾斜をａ，ｂ，ｃのように変化させると、電荷の移動し始めるタイミングが変化する。この結果、出力バッファから出力される電圧信号はＯＳａ，ＯＳｂ，ＯＳｃのように変化する。このとき出力遅延時間は、傾斜ａのアウトプットゲート信号に対してはＴ２１、傾斜ｂのアウトプットゲート信号に対してはＴ２２、傾斜ｃのアウトプットゲート信号に対してはＴ２３のようになり、出力バッファの特性によりＴ２１<Ｔ２２<Ｔ２３となる。いま所定のサンプリング信号ＳＨＤの立下り点をサンプリングポイントとして電圧信号ＯＳａ，ＯＳｂ，ＯＳｃをサンプリングすると、電圧信号ＯＳａでは安定領域で出力が可能になり、電圧信号ＯＳｂでは安定領域から少しはずれ、電圧信号ＯＳｃでは完全に安定領域からはずれたポイントで出力されることになる。つまり、このはずれにより出力される電圧信号は減少する。
【００２４】
本実施形態では、この出力遅延時間による出力電圧信号の減少をリニアリティ偏差の補正に使用する。
図６は、本発明の実施形態に係る４チャンネル出力ＣＣＤシステムの全体ブロック構成図であり、図中、２０は図１で説明した４チャンネル出力ＣＣＤ装置、２１は４チャンネル出力ＣＣＤ装置２０に供給するアウトプットゲート信号φ２Ｂを発生するためのタイミング発生回路、２２，２３はアウトプットゲート信号φ２Ｂを０乃至５Ｖの振幅で駆動するドライバ回路、２４，２５はアウトプットゲート信号φ２Ｂの立下り傾斜を制御するフィルタ回路である。フィルタ回路２４，２５の詳細回路を更に図７、図８を参照して説明する。
【００２５】
図７は、アウトプットゲート信号の立下り傾斜を制御するフィルタ回路の構成図、図８は、フィルタ回路に使用されるエンハンスメント型ＦＥＴ、及びバリキャップダイオードの特性図である。
図７において、フィルタ回路２４はエンハンスメント型ＦＥＴ２４ａで構成し、ソースＳにはドライバ２２の出力（アウトプットゲート信号φ２Ｂ）を供給し、ゲートＧにはＤＡコンバータでアナログ変換したコントロール信号を印加する。エンハンスメント型ＦＥＴ２４ａは、図８（Ａ）に示すような、ゲートＧ及びソースＳ間電圧が大きくなるとドレイン電流が流れ易くなる、つまりオン抵抗が小さくなる特性を利用し可変抵抗器として使用する。
【００２６】
ＤＡコンバータ２７の出力を０Ｖに設定すると、ソースＳにはドライバ２２の信号がかかるため、ゲートＧ−ソースＳ間の電圧は０Ｖ又は負となり、ＦＥＴ２４ａはオフ状態になる。このためＦＥＴ２４ａの合成抵抗値は抵抗Ｒ１１の抵抗値となり、キャパシタＣ１１と共にフィルタを構成する。このとき時定数は最大となり波形の立下りは鈍った状態になる。
【００２７】
逆にＤＡコンバータ２７の出力電圧を５Ｖ付近に設定すると、ソースＳにはドライバ２２の信号がかかるため、ゲートＧ−ソースＳ間電圧はドライバ信号によって決まり、信号レベルが高い場合は、ＦＥＴ２４ａのオン抵抗は大きく、逆に信号レベルが低い場合は、ゲートＧ−ソースＳ間電圧は大きくなりＦＥＴ２４ａのオン抵抗は小さくなる。オン抵抗が小さくなると、オン抵抗、抵抗Ｒ１１，Ｒ１２の合成抵抗値は小さくなり、この合成抵抗値とキャパシタＣ１１でフィルタを構成する。このとき時定数は最小となり、波形の立下りは急峻な形となる。なお、抵抗Ｒ１２は最小抵抗値の制限用として取付け、抵抗Ｒ１１>抵抗Ｒ１２である。従って、ＤＡコンバータ２７の出力を変化させることにより、フィルタ回路の時定数を可変にすることができるので、アウトプットゲート信号φ２Ｂの立下り傾斜を制御することができる。
【００２８】
アウトプットゲート信号φ２Ｂの立下り傾斜を制御する別の方法として、汎用の電子ボリュームとコンデンサによりＲＣフィルタを構成してもよく、また抵抗は固定抵抗とし、容量を変化できるバリキャップ（バリアブルキャパシタダイオード）を用いて逆電圧の設定をコントロール信号とすれば、容量が変化するため（図８（Ｂ））、時定数を変化させることができる。
【００２９】
以上の説明は、フィルタ回路２４について述べているがフィルタ回路２５についても同様に適用できる。
【００３０】
上述の４チャンネル出力ＣＣＤシステムの構成により、アウトプットゲート信号φ２Ｂの立下り傾斜を制御することができるので、４チャンネル出力ＣＣＤシステムの出力電圧ＯＳａ，ＯＳｂ，ＯＳｃを制御することができる。即ち、４チャンネル出力ＣＣＤシステムからの出力段階で電圧が制御可能になるので、信号伝達経路間に生じるリニアリティ偏差を予め、即ちＣＣＤ装置の出力段階で補正することができる。フィルタ回路は本実施形態では光電変換素子５の左側素子及び右側素子の両方の出力を制御するように構成しているが、前記素子のいずれか一方を基準にすれば他方の出力だけを制御するように構成してもよい。
【００３１】
また、カラー原稿に対応するために、図１で示した４チャンネル出力ＣＣＤ装置を、ＲＧＢの各フィルタを備える４チャンネル出力ＣＣＤ装置として構成し、これらにアウトプットゲート信号φ２Ｂの立下り傾斜制御用のフィルタ回路を付設する。アウトプットゲート信号φ２Ｂは、タイミング発生回路で１つの信号として生成し、６つのドライバ回路を経て６つのフィルタ回路に供給する。この場合も立下り傾斜の制御にエンハンスメント型ＦＥＴ２４ａを使用する。
図９は、カラー用４チャンネル出力ＣＣＤ装置を示し、図１０は、カラー用４チャンネル出力ＣＣＤシステムの構成図を示す。Ｒ，Ｇ，Ｂ用にそれぞれ３つの４チャンネル出力ＣＣＤ装置及び４チャンネル出力ＣＣＤシステムが用いられる。
【００３２】
次に、本実施形態に係る４チャンネル出力ＣＣＤシステムにおける濃度偏差の補正について説明する。
４チャンネル出力ＣＣＤシステム（図６）に、フィルタ回路２４，２５のコントロール信号をある値、例えばリニアリティ偏差が補正される値に仮設定して、副走査方向に複数段濃度が異なるグレーチャートを読取らせ、読取出力値を取得する。
【００３３】
図１１は、左右の光電変換素子による読取結果を示す図であり、横軸は４チャンネル出力ＣＣＤ装置への入射光量、縦軸は読取出力値を表す。図１１に示されるように、左右の光電変換素子で同じ原稿を読取った場合であっても読取出力値が異なる。そこで、グレーチャートを読取ったときのグレーチャートの各段の読取出力値、グレーチャートの各段の濃度から算出した反射率、更にグレーチャートの１段目を出力値２４０ｄｉｇｉｔで正規化し、反射率毎の読取出力値を結んだ濃度曲線ａを取得する。ここで正規化した１段目の反射率と反射率０％を結んだ直線を理想の濃度直線ｂとし、ある中間調例えば反射率５０％のときの濃度直線ｂと濃度曲線ａとの差を濃度差ｃとしてデータ化する。
図１２は、この濃度差を示す図であり、横軸は反射率、縦軸は読取出力値を表し、濃度直線ｂと濃度曲線ａとの中間調における差が濃度差ｃとなる。この濃度差は左右の光電変換素子において得られる。
【００３４】
この濃度差を求める動作を、前記コントロール信号を複数可変して行い、かつ左右の光電変換素子について行う。
図１３は、コントロール信号を変化させて取得した濃度差を示す図であり、横軸は反射率、縦軸は読取出力値を表す。左側光電変換素子についてコントロール信号をＳ１，Ｓ２，Ｓ３のように変化させたとき、読取出力値Ａ１，Ａ２，Ａ３が得られる。右側光電変換素子についても同様の動作を行う。そして、コントロール信号の各値に対する濃度差のデータから関係式を求め、不図示のスキャナ部のメモリに記憶させる。
【００３５】
更に左右の光電変換素子毎に、濃度差の最大値（ｍａｘ値）及び最小値（ｍｉｎ値）を求め、同様にメモリに記憶させる。そしてＣＰＵにより左右の光電変換素子のｍａｘ値及びｍｉｎ値から左右の光電変換素子で共通の濃度差の領域を算出し、その中心値に対応する値をコントロール信号の設定値として決定する。
図１４は、左右の光電変換素子で共通の濃度差の領域を示す図であり、図中、横軸はコントロール信号の設定値、縦軸は濃度差を表す。図１４において、濃度差Ｙ１からＹ２までが共通する濃度差領域であり、この領域の中（Ｘ１からＸ２）でコントロール信号の設定値を決める。これまで設定値は、リニアリティ偏差を補正する設定値を仮決めしていたが、前記領域内で仮決めした設定値に最も近い設定値を選択することにより、リニアリティ偏差を補正し、且つ濃度差を補正する設定値を設定することができる。
【産業上の利用可能性】
【００３６】
以上のように、本発明に係る画像読取装置は回路構成を簡略化する画像読取装置として有用であり、シートスルー及びフラットベットスキャナ、デジタル複写機、ファクシミリ装置などに用いるのに適している。
【図面の簡単な説明】
【００３７】
【図１】本発明が実施される４チャンネル出力ＣＣＤ装置の構成図である。
【図２】ＣＣＤで生成される電荷信号の移動の形態を示す図である。
【図３】アウトプットゲート信号と出力信号の関係を示す図である。
【図４】出力電圧信号と出力タイミングの関係を示す図である。
【図５】アウトプットゲート信号と出力電圧信号の出力タイミングの関係を示す図である。
【図６】本発明の実施形態に係る４チャンネル出力ＣＣＤシステムの全体ブロック構成図である。
【図７】アウトプットゲート信号の立下り傾斜を制御するフィルタ回路の構成図である。
【図８】フィルタ回路に使用されるエンハンスメント型ＦＥＴ及びバリキャップダイオードの特性図である。
【図９】カラー用４チャンネル出力ＣＣＤ装置を示す図である。
【図１０】カラー用４チャンネル出力ＣＣＤシステムの構成図を示す図である。
【図１１】左右の光電変換素子による読取結果を示す図である。
【図１２】光電変換素子による読取濃度差を示す図である。
【図１３】コントロール信号を変化させて取得した濃度差を示す図である。
【図１４】左右の光電変換素子で共通の濃度差の領域を示す図である。
【図１５】従来の４チャンネル出力ＣＣＤシステムの構成を示す図である。
【符号の説明】
【００３８】
１・・左側奇数成分アナログシフトレジスタ、２・・左側偶数成分アナログシフトレジスタ、３・・右側奇数成分アナログシフトレジスタ、４・・右側偶数成分アナログシフトレジスタ、５・・光電変換素子、６・・左側アウトプットゲート端子、７・・右側アウトプットゲート端子、８・・左側奇数成分出力バッファ、９・・左側偶数成分出力バッファ、１０・・右側奇数成分出力バッファ、１１・・右側偶数成分出力バッファ。
【図１】
2005236853.tif 000003
【図２】
2005236853.tif 000004
【図３】
2005236853.tif 000005
【図４】
2005236853.tif 000006
【図５】
2005236853.tif 000007
【図６】
2005236853.tif 000008
【図７】
2005236853.tif 000009
【図８】
2005236853.tif 000010
【図９】
2005236853.tif 000011
【図１０】
2005236853.tif 000012
【図１１】
2005236853.tif 000013
【図１２】
2005236853.tif 000014
【図１３】
2005236853.tif 000015
【図１４】
2005236853.tif 000016
【図１５】
2005236853.tif 000017